(57)【特許請求の範囲】
【請求項１】
四角形の箱口を、箱内側に内側フラップ体を折り込んだ後にこの内側フラップ体に対向する位置に備えられる外側フラップ体をこの内側フラップ体上に折り重ね両者を接着して塞ぐようにしてなる包装箱であって、
前記内側フラップ体は、前記箱口の口縁部に連接される基部辺と、これに対向する先端辺と、この基部辺と先端辺との間に亙る左右側辺とを有すると共に、
左側辺の中間と右側辺の中間との間に亙る主切り取り罫線により、この主切り取り罫線と基部辺との間の第一部分とこの主切り取り罫線と先端辺との間の第二部分とに二分されており、
前記第一部分には、前記主切り取り罫線の中央部と、この中央部との間に間隔を開けて形成された折り罫線と、この折り罫線の左端と前記中央部との間に亙る左側切線又は左側切り取り罫線と、この折り罫線の右端と前記中央部との間に亙る右側切線又は右側切り取り罫線とにより囲繞された内側耳部が形成されており、
外側フラップ体は、前記箱口の口縁部に連接される基部辺と、これに対向する先端辺を有すると共に、
この外側フラップ体における前記折り込み時に前記内側耳部上に位置される箇所には、切線又は切り取り罫線によってこの外側フラップ体の先端辺側を折り曲げ中心として箱内側に押し込み操作可能な外側耳部が形成されており、
しかも、前記接着が内側フラップ体の第二部分においてなされていることを特徴とする包装箱。
【請求項２】
内側フラップ体の主切り取り罫線は、その中央部を挟んだ左右いずれの側においても、この中央部から離れるに連れて内側フラップ体の先端辺に近づく仮想の傾斜線分に沿うようにして、設けられていることを特徴とする請求項１に記載の包装箱。
【発明の詳細な説明】
【技術分野】
【０００１】
この発明は、被包装物を容易に取り出し可能な構造を備えた、包装箱の改良に関する。
【背景技術】
【０００２】
被包装物を容易に取り出せるように、包装箱にはしばしばこれにミシン目などを施して破断容易な部分が形成される。しかしながら、包装箱に単純に破断容易な部分を形成させてしまうと前記ミシン目などを包装箱の外観上目立たせてしまう。また、包装箱の運搬などの過程で前記破断容易な部分の予期しない破断を生じさせてしまうこともある。
【発明の概要】
【発明が解決しようとする課題】
【０００３】
この発明が解決しようとする主たる問題点は、被包装物を容易に取り出せる構造を備えながら、外観性高く、かつ、予期せず開封されるおそれの少ない包装箱を提供する点にある。
【課題を解決するための手段】
【０００４】
前記課題を達成するために、この発明にあっては、包装箱を、四角形の箱口を、箱内側に内側フラップ体を折り込んだ後にこの内側フラップ体に対向する位置に備えられる外側フラップ体をこの内側フラップ体上に折り重ね両者を接着して塞ぐようにしてなる包装箱であって、
前記内側フラップ体は、前記箱口の口縁部に連接される基部辺と、これに対向する先端辺と、この基部辺と先端辺との間に亙る左右側辺とを有すると共に、
左側辺の中間と右側辺の中間との間に亙る主切り取り罫線により、この主切り取り罫線と基部辺との間の第一部分とこの主切り取り罫線と先端辺との間の第二部分とに二分されており、
前記第一部分には、前記主切り取り罫線の中央部と、この中央部との間に間隔を開けて形成された折り罫線と、この折り罫線の左端と前記中央部との間に亙る左側切線又は左側切り取り罫線と、この折り罫線の右端と前記中央部との間に亙る右側切線又は右側切り取り罫線とにより囲繞された内側耳部が形成されており、
外側フラップ体は、前記箱口の口縁部に連接される基部辺と、これに対向する先端辺を有すると共に、
この外側フラップ体における前記折り込み時に前記内側耳部上に位置される箇所には、切線又は切り取り罫線によってこの外側フラップ体の先端辺側を折り曲げ中心として箱内側に押し込み操作可能な外側耳部が形成されており、
しかも、前記接着が内側フラップ体の第二部分においてなされているものとした。
【０００５】
前記箱口から内部に被包装物を納めた後、前記接着により箱口を塞ぐことで、この被包装物に対する包装箱による包装がなされる。前記内側フラップ体の主切り取り罫線及び内側耳部は外側フラップ体で覆い隠して、包装箱の外観には外側フラップ体の前記切線又は切り取り罫線のみが表れるようにすることができる。包装箱を開封するときは、外側フラップ体の外側耳部を箱内側に押し込むと、この外側耳部に押されて内側耳部が主切り取り罫線の中央部を破断させながら折り罫線を中心に箱内側に折り込まれる。この状態から外側フラップ体を開き操作すると、外側フラップ体は内側フラップ体の第二部分に接着されていることから、主切り取り罫線の中央部を挟んだ左右両側は破断され、内側フラップ体の第二部分は外側フラップ体と一体化した状態で第一部分と分離される。これにより包装箱を容易に開封することができる。包装箱の箱口は、内側フラップ体と外側フラップ体とを二枚重ねにすることで強固に塞がれ、包装箱は外側耳部を押し込み操作しない限り開封されることはない。
【０００６】
前記内側フラップ体の主切り取り罫線を、その中央部を挟んだ左右いずれの側においても、この中央部から離れるに連れて内側フラップ体の先端辺に近づく仮想の傾斜線分に沿うようにして、設けておくこともある。このようにした場合、外側フラップを前記のように開き操作したときに、主切り取り罫線をその中央部側から側辺側に向けてスムースに破断させることができる。
【発明の効果】
【０００７】
この発明にかかる包装箱は、被包装物を容易に取り出せる構造を備えながら、外観性高く、かつ、予期せず開封されるおそれが少ない。
【図面の簡単な説明】
【０００８】
【図１】図１は実施の形態にかかる収納箱の斜視図であり、各フラップ体は展開位置にあって箱口は開放されている。
【図２】図２は図１の状態における収納箱の平面図である。
【図３】図３は実施の形態にかかる収納箱の斜視図であり、小フラップ体及び内側フラップ体が箱内側に折り込まれた状態を示している。
【図４】図４は図３の状態における収納箱の平面図である。
【図５】図５は実施の形態にかかる収納箱の斜視図であり、図３の状態から外側フラップ体を折り込んで内側フラップ体に接着させた状態を示している。
【図６】図６は図５の状態から、外側フラップ体の外側耳部を押し込んだ状態を示した収納箱の斜視図である。
【図７】図７は図６におけるＡ−Ａ線位置での断面図である。
【図８】図８は図６の状態から外側フラップ体を開き操作して箱口を開放させた状態を示した収納箱の斜視図である。
【発明を実施するための形態】
【０００９】
以下、図１〜図８に基づいて、この発明の典型的な実施の形態について、説明する。この実施の形態にかかる包装箱は、被包装物を容易に取り出し可能な構造を備えてなるものである。かかる包装箱は、四角形の底部１と、四つの側部２…２とを有し、この四つの側部２…２の上縁によって構成された四角形の箱口３を備えている。この箱口３は、後述の内側フラップ体５と外側フラップ体６とを折り込むことで閉塞され、包装箱はこの閉塞状態において六面体となる。かかる包装箱は、典型的には、段ボールや板紙などから構成され、これらに打抜加工したものを組み立てることで生成される。また、後述の主切り取り罫線５ｅ（これに沿った切り離しを容易とするように付けられた罫線）は基本的には切れ目Ｅとつなぎ目Ｊとを交互に記段ボールなどに施すことで、（図２）また、後述の各折り罫線６ｈ、８、９、１０は典型的には前記段ボールなどに筋押し加工などを施すことで形成させることができる。
【００１０】
前記箱口３は、箱内側４に内側フラップ体５を折り込んだ後にこの内側フラップ体５に対向する位置に備えられる外側フラップ体６をこの内側フラップ体５上に折り重ね両者を接着して塞がれるようになっている。図示の例では、前記箱口３は長辺側と短辺側とを持っている。箱口３の一方の長辺側の口縁部３ａに内側フラップ体５が連接され、他方の長辺側の口縁部３ａに外側フラップ体６が連接されている。また、箱口３の短辺側の両口縁部３ｂにはそれぞれ、小フラップ体７が連接されている。
【００１１】
内側フラップ体５は、折り込み状態において前記箱口３を略塞ぐ大きさを備えている。かかる内側フラップ体５は、前記箱口３の長辺側の口縁部３ａに連接される基部辺５ａと、これに対向する先端辺５ｂと、この基部辺５ａと先端辺５ｂとの間に亙る左右側辺５ｃ、５ｄとを有している。前記箱口３の長辺側の口縁部３ａと、内側フラップ体５の基部辺５ａとの連接箇所には、折り罫線８が形成されており、この折り罫線８を中心にして内側フラップ体５は前記のように折り込めるようになっている。
【００１２】
また、前記外側フラップ体６は、前記箱口３の長辺側の口縁部３ａに連接される基部辺６ａと、これに対向する先端辺６ｂと、この基部辺６ａと先端辺６ｂとの間に亙る左右側辺６ｃ、６ｄとを有している。前記箱口３の長辺側の口縁部３ａと、外側フラップ体６の基部辺６ａとの連接箇所には、折り罫線９が形成されており、この折り罫線９を中心にして外側フラップ体６も前記のように折り込めるようになっている。図示の例では、外側フラップ体６は、その先端辺６ｂの中央６ｂ’と基部辺６ａとの間の幅寸法を前記箱口３の短辺側の寸法と略等しくする。先端辺６ｂの中央６ｂ’は、基部辺６ａと平行をなす。この先端辺６ｂの中央６ｂ’を挟んだ左右両側では前記幅寸法をこの中央６ｂ’から離れるに従って次第に小さくするように構成されており、外側フラップ体６の先端辺は山形状を呈している。
【００１３】
前記小フラップ体７と前記箱口３の短辺側の口縁部３ｂとの連接箇所にも折り罫線１０が形成されており、この折り罫線１０を中心にして小フラップ体７は包装箱の箱内側４に向けて折り込めるようになっている。左右の小フラップ体７、７は、これらをそれぞれ前記のように折り込んでも、箱口３の中央に間隔が形成されてこの箱口３を閉塞できない大きさに構成されている。
【００１４】
また、内側フラップ体５は、その左側辺６ｃの中間と右側辺６ｄの中間との間に亙る主切り取り罫線５ｅにより、この主切り取り罫線５ｅと基部辺５ａとの間の第一部分５ｆとこの主切り取り罫線５ｅと先端辺５ｂとの間の第二部分５ｇとに、二分されている。それと共に、前記第一部分５ｆには、前記主切り取り罫線５ｅの中央部５ｅ’と、この中央部５ｅ’との間に間隔を開けて形成された折り罫線５ｉと、この折り罫線５ｉの左端と前記中央部５ｅ’との間に亙る左側切線５ｊと、この折り罫線５ｉの右端と前記中央部５ｅ’との間に亙る右側切線５ｋとにより囲繞された内側耳部５ｈが形成されている。図示の例では、主切り取り罫線５ｅの中央部５ｅ’は切線によって構成されている。また、主切り取り罫線５ｅの中央部５ｅ’と左側切線５ｊとの間、及び右側切線５ｋとの間には、つなぎ目５ｍが形成されている。図示の例では、折り罫線５ｉは、内側フラップ体５に施されたミシン目によって構成されている。図示の例とは別に、前記左側切線５ｊは左側切り取り罫線に置き換えても良く、前記右側切線５ｋは右側切り取り罫線に置き換えても良い。
【００１５】
図示の例では、内側耳部５ｈは、長方形状をなしている。内側耳部５ｈの長辺の一方が主切り取り罫線５ｅの中央部５ｅ’により形成され、内側耳部５ｈの長辺の他方が前記折り罫線５ｉにより形成され、内側耳部５ｈの左側の短辺が前記左側切線５ｊにより形成され、内側耳部５ｈの右側の短辺が前記右側切線５ｋにより形成されている。
【００１６】
一方、前記外側フラップ体６における前記折り込み時に前記内側耳部５ｈ上に位置される箇所には、切線６ｆによってこの外側フラップ体６の先端辺６ｂ側を折り曲げ中心として箱内側４に押し込み操作可能な外側耳部６ｅが形成されている。かかる切線６ｆは切り取り罫線に置き換えても良い。
【００１７】
図示の例では、かかる切線６ｆは、外側フラップ体６の先端辺６ｂの中央６ｂ’側を湾曲内側とするＵ字状をなすように施されている。この切線６ｆは外側フラップ体６の左右方向略中程の位置に形成されていると共に、この切線６ｆの両端と外側フラップ体６の先端辺６ｂの中央６ｂ’との間には間隔６ｇが形成されている。図示の例では、この切線６ｆの左端と外側フラップ体６の先端辺６ｂの中央６ｂ’を挟んで左側に位置される箇所との間、および、この切線６ｆの右端と外側フラップ体６の先端辺６ｂの中央６ｂ’を挟んで右側に位置される箇所との間にそれぞれ、左右方向に沿った折り罫線６ｈが形成されている。
【００１８】
そして、この実施の形態にあっては、前記内側フラップ体５の第二部分５ｇの外面を前記重ね合わせ状態においてこの第二部分５ｇ上に位置される外側フラップ体６の内面に接着させて、前記箱口３を塞ぐようになっている。（図３および図４においてこの接着をなす箇所を二点鎖線で囲む。）
【００１９】
前記箱口３から内部に被包装物（図示は省略する。）を納めた後、前記接着により箱口３を塞ぐことで、この被包装物に対する包装箱による包装がなされる。前記内側フラップ体５の主切り取り罫線５ｅ及び内側耳部５ｈは外側フラップ体６で覆い隠して、包装箱の外観には外側フラップ体６の前記切線６ｆのみが表れるようにすることができる。（図５）包装箱を開封するときは、外側フラップ体６の外側耳部６ｅを箱内側４に押し込むと、この外側耳部６ｅに押されて内側耳部５ｈが主切り取り罫線５ｅの中央部５ｅ’を破断させながら折り罫線５ｉを中心に箱内側４に折り込まれる。（図６、図７）この状態から外側フラップ体６を開き操作すると、外側フラップ体６は内側フラップ体５の第二部分５ｇに接着されていることから、主切り取り罫線５ｅの中央部５ｅ’を挟んだ左右両側は破断され、内側フラップ体５の第二部分５ｇは外側フラップ体６と一体化した状態で第一部分５ｆと分離される。これにより包装箱を容易に開封することができる。包装箱の箱口３は、内側フラップ体５と外側フラップ体６とを二枚重ねにすることで強固に塞がれ、包装箱は外側耳部６ｅを押し込み操作しない限り開封されることはない。図示の例では、外側フラップ体６の外側耳部６ｅは前記折り罫線６ｈを折り曲げ中心として前記のように押し込まれ、この押し込みにより外側フラップ体６の上面に交叉する向きに立ち上げられる外側フラップ体６の先端辺６ｂの中央６ｂ’を把持して、外側フラップ体６の前記開き操作をなせるようになっている。なお、外側フラップ体６のかかる把持をなす箇所の内面を内側フラップ体５の第一部分５ｆの外面に弱く接着しておけば、包装箱の前記開封前の状態において内側フラップ体５の第一部分５ｆの外面と外側フラップ体６の先端辺６ｂ側の内面との間に目立つ隙間が生じないようにすることができる。
【００２０】
図示の例では、前記内側フラップ体５の主切り取り罫線５ｅは、その中央部５ｅ’を挟んだ左右いずれの側においても、この中央部５ｅ’から離れるに連れて内側フラップ体５の先端辺５ｂに近づく仮想の傾斜線分に沿うようにして、設けられている。これにより、外側フラップを前記のように開き操作したときに、主切り取り罫線５ｅがその中央部５ｅ’側から側辺５ｃ、５ｄ側に向けてスムースに破断されるようになっている。また、主切り取り罫線５ｅにおける前記傾斜線分に沿った部分を構成する切れ目Ｅは、この傾斜線分に沿った主部Ｅａと、この主部Ｅａにおける前記中央部５ｅ’側に位置される内端Ｅｂから内側フラップ体５の先端辺５ｂ側に延びる分岐部Ｅｄとを有している。外側フラップ体６を前記のように開き操作すると、一つの切れ目Ｅの分岐部Ｅｄと、この一つの切れ面Ｅに隣り合う切れ目Ｅのうち前記中央部５ｅ’側に位置される切れ目Ｅにおける前記内端Ｅｂと反対の外端Ｅｄとの間のつなぎ目Ｊが裂けて隣り合う切れ目Ｅ、Ｅ同士が繋がり内側フラップ体５の第二部分５ｇが第一部分５ｆと分離されるようになっている。
【符号の説明】
【００２１】
１  内側フラップ体
５ｅ  主切り取り罫線
５ｅ’  中央部
５ｆ  第一部分
５ｇ  第二部分
５ｈ  内側耳部
５ｉ  折り罫線
５ｊ  左側切線
５ｋ  右側切線
６  外側フラップ体
６ｅ  外側耳部
６ｆ  切線
【図１】
0005721565.tif 000002
【図２】
0005721565.tif 000003
【図３】
0005721565.tif 000004
【図４】
0005721565.tif 000005
【図５】
0005721565.tif 000006
【図６】
0005721565.tif 000007
【図７】
0005721565.tif 000008
【図８】
0005721565.tif 000009